(57)【要約】【課題】スリープ状態からの復帰後の操作に最適な画像形成装置の提供。【解決手段】本発明は、ユーザにより登録されたユーザ登録データを記憶するハードディスク記憶手段を備えた画像形成装置を前提とする。そして、本発明の画像形成装置は、ユーザ登録データを選択可能に表示する表示手段と、ハードディスク記憶手段に電力を供給する電力供給手段と、電力供給手段にハードディスク記憶手段への電力供給を遮断または電力供給を開始させる電力供給制御手段を備える。更に、切替メモリと、アクセス切替手段とを備える。切替メモリは、ハードディスク記憶手段からユーザ登録データを記憶し、アクセス切替手段は、電力供給制御手段により、ハードディスク記憶手段へ電力供給が開始されると、表示手段に、切替メモリに記憶されたユーザ登録データを選択可能に表示させることを特徴とする。【選択図】図５
2010204428.tif 000002
【特許請求の範囲】
【請求項１】
ユーザにより登録されたユーザ登録データを記憶するハードディスク記憶手段を備えた画像形成装置において、
前記ユーザ登録データを選択可能に表示する表示手段と、
前記ハードディスク記憶手段に電力を供給する電力供給手段と、
前記電力供給手段にハードディスク記憶手段へ電力供給を遮断または電力供給を開始させる電力供給制御手段と、
前記ハードディスク記憶手段から前記ユーザ登録データを記憶する切替メモリと、
前記電力供給制御手段により、前記ハードディスク記憶手段へ電力供給が開始されると、前記表示手段に、切替メモリに記憶されたユーザ登録データを選択可能に表示させるアクセス切替手段を備えることを特徴とする画像形成装置。
【請求項２】
前記電力供給制御手段が前記ハードディスク記憶手段へ電力供給を開始後、当該ハードディスク記憶手段の動作準備の完了を検知する起動検知手段を備え、
ユーザによりハードディスク記憶手段のユーザ登録データを表示させる要求を受けると、前記起動検知手段によるハードディスク記憶手段の動作準備の完了の検知後、前記アクセス切替手段が、切替メモリのデータからハードディスク記憶手段のユーザ登録データへ表示を切り替える請求項１に記載の画像形成装置。
【請求項３】
前記電力供給制御手段が前記ハードディスク記憶手段へ電力供給を開始後、当該ハードディスク記憶手段の動作準備の完了を検知する起動検知手段を備え、
前記アクセス切替手段が、前記ハードディスク記憶手段へ電力供給が開始されてから、前記起動検知手段がハードディスク記憶手段の動作準備の完了を検知する待ち時間の終了まで、前記表示手段に、切替メモリに記憶されたユーザ登録データを選択可能に表示させ、前記起動検知手段がハードディスク記憶手段の動作準備の完了を検知すると、切替メモリのデータからハードディスク記憶手段のユーザ登録データへ表示を切り替える請求項１に記載の画像形成装置。
【請求項４】
前記ハードディスク記憶手段に記憶されている前記ユーザ登録データの内、設定条件とされるユーザ登録データを受け付ける入力受付手段を更に備え、
前記切替メモリが、前記入力受付手段が受け付けた前記ユーザ登録データを記憶する請求項1から３いずれか一項に記載の画像形成装置。
【請求項５】
前記表示手段により切替メモリのユーザ登録データを表示する際の応答時間を所定時間遅らせる遅延手段を更に備える請求項1から４いずれか一項に記載の画像形成装置。
【請求項６】
前記ハードディスク記憶手段が、ユーザ登録データと当該ユーザ登録データが使用された回数を関連付けて、ユーザ登録データテーブルとして記憶し、
前記電力供給制御手段が前記電力供給手段にハードディスク記憶手段への電力供給を遮断させる際に、前記切替メモリが、前記ユーザ登録データテーブルに基づいて、前記ハードディスク記憶手段から前記ユーザ登録データを記憶する請求項1から５いずれか一項に記載の画像形成装置。
【請求項７】
前記切替メモリが、前記電力供給手段又は、他の電源から常に電力供給を受ける揮発性メモリである請求項１から６いずれか一項に記載の画像形成装置。
【発明の詳細な説明】
【技術分野】
【０００１】
本発明は、画像形成装置に関し、特にスリープ状態から復帰後の操作に最適な画像形成装置である。
【背景技術】
【０００２】
現在画像形成装置には様々な機能が付加されており、消費電力の削減のため、使用されていないときは、スリープ状態（休止状態）で待機する機能を持つものが多い。例えば、下記特許文献１の技術は、休止状態での印刷割り込み要求に対応した技術であり、印刷割り込みの要求を満足させつつ、休止状態に遷移できる技術である。
【０００３】
上記機能を有する画像形成装置を使用する際には、まずスリープ状態の画像形成装置をアクティブ状態に遷移させる必要がある。このとき、ユーザは画像形成装置を直ぐに使用したいであろうから、スリープ状態からアクティブ状態への遷移時間は短い方が好ましい。スリープ状態からアクティブ状態への遷移で、ＨＤＤ（ハードディスクドライブ）の動作準備が完了するまでの過程に最も時間がかかる。ＨＤＤは、電力が供給されてから、ディスクの回転が安定して，データを読み出せるようになるまで１５秒程度の待ち時間が必要で、この待ち時間には当該ＨＤＤに記憶されたデータにはアクセスできない。このため、下記特許文献２の技術は、装置をアクティブ状態に復帰させるためのＨＤＤ内のプログラムを不揮発性メモリに記憶させて、当該アクティブ状態に復帰させる際に、上記不揮発性メモリから上記プログラムを読み込むことで、スリープ状態からアクティブ状態への遷移時間を短縮させる技術である。
【先行技術文献】
【特許文献】
【０００４】
【特許文献１】特開２００４−７４６２１
【特許文献２】特開２００６−９５７４１
【発明の概要】
【発明が解決しようとする課題】
【０００５】
上記従来技術では、プログラムは直ぐに起動できたとしても、当該プログラムを使用する際に、ユーザが登録したデータがＨＤＤに記憶されていると、ＨＤＤの動作準備が完了するまでは当該データを使用することはできない。上記データとしては、例えば、ユーザが登録した、文書やＦＡＸ番号等のデータが考えられる。
【０００６】
つまり、上記従来技術によって、アクティブ状態への遷移時間が短縮し、ＨＤＤ以外の機器が動作準備を完了したとしても、ＨＤＤの動作準備が完了するまでは、ＨＤＤ内のデータを利用することはできない。
【０００７】
一方、上記ＨＤＤの動作準備が完了するまでの待ち時間内に、ＨＤＤ内のデータを利用して画像形成装置を使用したいというユーザの要請があるので、例えば、ＨＤＤ内の全てのデータを不揮発性のメモリに記憶させておき、当該メモリ内の上記データにアクセスする構成も考えられる。しかし、ＨＤＤ内の全てのデータを記憶できる程度の容量を有する不揮発性のメモリはかなり高額なものになってしまうので現実的でない。
【０００８】
本発明は、上記問題を解決するためになされたものであり、スリープ状態から復帰する際、ＨＤＤの動作準備が完了するまでの待ち時間内にユーザが登録した文書や、ＦＡＸ番号を使用することができる画像形成装置を提供するものである。
【課題を解決するための手段】
【０００９】
上記課題を達成するための本発明は、ユーザにより登録されたユーザ登録データを記憶するハードディスク記憶手段を備えた画像形成装置を前提とする。そして、本発明の画像形成装置は、ユーザ登録データを選択可能に表示する表示手段と、電力供給手段と当該電力供給手段を制御する電力供給制御手段と、切替メモリと、アクセス切替手段とを備える。電力供給手段は、ハードディスク記憶手段に電力を供給し、電力供給制御手段は、電力供給手段にハードディスク記憶手段への電力供給を遮断または電力供給を開始させる。そして、切替メモリは、ハードディスク記憶手段からユーザ登録データを記憶し、更に、アクセス切替手段は、電力供給制御手段により、ハードディスク記憶手段へ電力供給が開始されると、前記表示手段に、切替メモリに記憶されたユーザ登録データを選択可能に表示させることを特徴とする。
【００１０】
切替メモリがハードディスク記憶手段からユーザ登録データを記憶し、表示手段が、切替メモリのユーザ登録データを選択的に表示することで、ハードディスク記憶手段の動作準備が完了する前にユーザ登録データを表示して、使用することが可能となる。
【００１１】
上記の構成において、電力供給制御手段がハードディスク記憶手段へ電力供給を開始後、当該ハードディスク記憶手段の動作準備の完了を検知する起動検知手段を備え、アクセス切替手段が、ユーザによりハードディスク記憶手段のユーザ登録データを表示させる要求を受けると、起動検知手段によるハードディスク記憶手段の動作準備の完了の検知後、切替メモリのデータからハードディスク記憶手段のユーザ登録データへ表示を切り替えることが望ましい。
【００１２】
上記の構成において、ハードディスク記憶手段へ電力供給が開始されてから、起動検知手段がハードディスク記憶手段の動作準備の完了を検知する待ち時間の終了まで、表示手段に、切替メモリに記憶されたユーザ登録データを選択的に表示させ、起動検知手段がハードディスク記憶手段の動作準備の完了を検知すると、切替メモリのデータからハードディスク記憶手段のユーザ登録データへ表示を切り替えることが望ましい。
【００１３】
ハードディスク記憶手段の動作準備が完了するとアクセス切替手段がハードディスク記憶手段のユーザ登録データを表示することで、ハードディスク記憶手段が使用できない待ち時間であっても、ユーザ登録データを使用することができる。
【００１４】
上記の構成において、ハードディスク記憶手段に記憶されているユーザ登録データの内、設定条件とされるユーザ登録データを受け付ける入力受付手段を更に備え、切替メモリが、入力受付手段が受け付けたユーザ登録データを記憶することで、使用されたユーザ登録データを切替メモリが記憶することができる。
【００１５】
上記の構成において、表示手段により切替メモリのユーザ登録データを表示する際の応答時間を所定時間遅らせる遅延手段を更に備えると、切替メモリからハードディスク記憶手段にアクセスが切り替わる際にユーザに応答速度が遅くなったと感じさせることがない。
【００１６】
上記の構成において、ハードディスク記憶手段が、ユーザ登録データと当該ユーザ登録データが使用された回数を関連付けて、ユーザ登録データテーブルとして記憶し、電力供給制御手段が電力供給手段にハードディスク記憶手段への電力供給を遮断させる際に、切替メモリが、ユーザ登録データテーブルに基づいて、ハードディスク記憶手段からユーザ登録データを記憶する構成を採用できる。上記の構成であると、頻繁に使用されるユーザ登録データを切替メモリに記憶させることができる。
【００１７】
更に、切替メモリが電力供給手段又は、他の電源から常に電力供給を受ける揮発性メモリであることが望ましい。
【発明の効果】
【００１８】
本発明の画像形成装置によると、ハードディスク記憶手段への電力供給を開始してから、当該ハードディスク記憶手段の動作準備が完了するまでの待ち時間であっても、ファクシミリ番号や、文書ファイル、画像ファイル等のユーザが登録したユーザ登録データを使用することが可能となる。
【図面の簡単な説明】
【００１９】
【図１】本発明の実施形態に係る画像形成装置の全体構成を示す図である。
【図２】本発明の実施形態に係る画像形成装置の読取部の構成を示す図である。
【図３】本発明の実施形態に係る画像形成装置の制御系ハードウェアの構成を示す図である。
【図４】本発明の実施形態に係る画像形成装置の操作部を示す図である。
【図５】本発明の実施形態に係る画像形成装置の機能ブロック図である。
【図６】本発明の実施形態に係る画像形成装置のアクセス切り替えの処理のフローチャートである。
【図７】操作部に表示される画面を示す図である。
【図８】本発明の実施形態に係る画像形成装置の機能ブロック図である。
【図９】ハードディスク記憶手段が記憶するテーブルを示す図である。
【図１０】本発明の実施形態に係る画像形成装置のアクセス切り替えの処理のフローチャートである。
【発明を実施するための形態】
【００２０】
（画像形成装置）
以下に、画像形成装置における基本的なコピーサービスの処理を説明する。本発明の実施形態に係る画像形成装置は、プリンタ、コピー、スキャナ、ファックス等を備えた複合機、デジタル複写機、プリンタ等が該当し、コピーサービス、スキャナサービス、ファクシミリサービス、プリンタサービス等を備えた画像形成装置として機能する。
【００２１】
図１は、複合機の概略模式図である。ただし、本発明に直接には関係しない各部の詳細は省略している。なお、一例として複合機を利用して原稿のコピーを行う際の画像形成装置の動作を簡単に説明する。
【００２２】
ユーザが複合機１００を利用して例えば原稿の印刷を行う場合、原稿を図１に示す原稿台１０３、或いは載置台１０５に配置し、原稿台１０３近傍に備えられた操作部４００に対して印刷の指示を行う。当該指示があると、以下に示す各部（駆動部）が動作することで、印刷が行われる。
【００２３】
即ち、図１に示すように、本実施の形態の複合機１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００２４】
原稿台１０３の下方には、読取部１１０が設けられており、図２にその詳細が示されている。読取部１１０は、原稿台１０３を照射する主走査方向に長い光源１１１と、原稿台からの光を選択的に通過させるスリット１１６と、原稿台からの光を導くミラー１１２とを備える第一の移動キャリッジ１１７や、第一の移動キャリッジ１１７からの反射光を再度反射するミラー１１３Ａ、１１３Ｂを備える第二の移動キャリッジ１１８、さらにミラーで導かれた光を光学的に補正するレンズ群１１９、当該レンズ群１１９より補正された光を受光する撮像素子１１５、撮像素子１１５にて受光した光を電気信号に変換し、必要に応じて補正・修正などを行う画像データ生成部１１４とで構成されている。
【００２５】
自動原稿給紙装置１０４上の原稿を読み取る場合には、光源１１１は、読取位置Ｐを照射できる位置に移動して発光する。光源１１１からの光は、原稿台１０３を透過して読取位置Ｐを通過する原稿にて反射し、スリット１１６、ミラー１１２、１１３Ａ、１１３Ｂ、レンズ群１１９によって撮像素子１１５に導かれる。撮像素子１１５は、受光した光を電気信号に変換して画像データ生成部１１４に送信する。画像データ生成部１１４には、上記撮像素子１１５にて受光された光がＲ（レッド）、Ｇ（グリーン）、Ｂ（ブルー）のアナログ電気信号として入力され、ここでアナログ−デジタル変換され、即ちデジタル化される。さらに、画像データ生成部１１４では、順次変換されたデジタル信号を単位データとし、これら単位データを補正、修正等することで複数の単位データからなる画像データを生成する。
【００２６】
また、読取部１１０が原稿台１０３に載置された原稿を読み取る場合は、第一のキャリッジ１１７は、光源１１１を発光しながら副走査方向に移動し、光源１１１から撮像素子１１５までの光路長を一定にするために、第二の移動キャリッジ１１８は第一の移動キャリッジ１１７の１／２の速度で撮像素子１１５方向に移動する。
【００２７】
撮像素子１１５は、ミラー１１２、１１３Ａ、１１３Ｂに導かれた光に基づいて原稿台１０３に載置された原稿からの光を電気信号に変換し、これに基づいて画像データ生成部１１４が画像データを生成する。
【００２８】
本体１０１の読取部１１０の下方には、画像データを印刷する印刷部１２０を備えている。印刷部１２０が印刷できる画像は、上記のように画像データ生成部１１４にて生成されたものや、複合機１００に接続された通信ケーブル１５０を介して、ネットワーク１５１から画像形成の指示とともに送信される場合もある。
【００２９】
印刷部１２０が行う印刷方式には、電子写真方式が用いられている。即ち、感光ドラム１２１を帯電器１２２で一様に帯電させ、その後レーザ１２３で感光ドラム１２１を照射して感光ドラム１２１に潜像を形成し、現像器１２４で潜像にトナーを付着させて可視像を形成し、転写ローラにて可視像を用紙に転写する方式である。
【００３０】
可視像が印刷される用紙は、手差しトレイ１３１、給紙カセット１３２、１３３、１３４などの給紙トレイに載置されたものである。
【００３１】
印刷部１２０が印刷を行う際には、何れか１つの給紙トレイから用紙１枚を、ピックアップローラ１３５を用いて引き出し、引き出した用紙を搬送ローラ１３７やレジストローラ１３８で中間転写ベルト１２５Ａと転写ローラ１２５Ｂの間に送り込む。用紙を引き出す場合、手差しトレイ１３１に載置された用紙を、手差しトレイ用ピックアップローラ１３６を用いて引き出しても構わない。
【００３２】
印刷部１２０は、中間転写ベルト１２５Ａと転写ローラ１２５Ｂの間に送り込んだ用紙に、上記中間転写ベルト１２５Ａ上の可視像を転写すると、可視像を定着させるために、搬送ベルト１２６で定着装置１２７に用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を用紙が通過すると、熱と用紙への押圧力によって可視像が用紙に定着する。印刷部１２０は、定着装置１２７を通過した用紙を排紙トレイ１３０に排紙する。
【００３３】
以上が、複合機１００における基本的なコピーサービスの処理である。なお、複合機１００は、上述した各部（読取部１１０、印刷部１２０）を適宜協働的に動作することによって、他の機能、例えば、ファクシミリ送受信機能、プリント機能、スキャン機能、後処理機能、メモリ機能等をユーザに提供する。
【００３４】
次に、図３を用いて、複合機１００の制御系ハードウェアの構成を説明する。図３は、当該複合機１００における制御系ハードウェアの概略構成図である。ただし、本発明に直接には関係しない各部の詳細は省略している。
【００３５】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）記憶手段５０１、各駆動部に対応するドライバ３０５を内部バス３０６によって接続している。上記ＣＰＵ３０１は、例えば、ＲＡＭ３０３を作業領域として利用し、上記ＲＯＭ３０２、ハードディスク記憶手段５０１等に記憶されているプログラムを実行し、当該実行結果に基づいて上記ドライバ３０５と操作部４００からのデータ、指示を授受し、上記図１、２に示した各駆動部等の動作を制御する。なお、上記ＲＡＭ３０３を後述する切替メモリ５１２として構成してもよいし、ＲＡＭ３０３とは別に切替メモリ５１２を備えてもよい。
【００３６】
図４は、複合機１００に備えられた操作部４００の外観の一例を示す図である。ユーザは、上記操作部４００を用いて、上述のような機能提供についての設定条件等を入力する。設定条件の入力、各サービスの実行開始等が行なわれる際に、上記操作部４００に備えられたタッチパネル４０１、タッチペン４０２、操作キー４０３が用いられる。
【００３７】
（実施の形態１）
次に本発明の画像形成装置のアクセス切り替えの処理について図面を参照しながら説明する。なお、図５は実施の形態１の複合機１００の機能ブロック図であり、図６は実施の形態１の複合機１００の表示切り替えの処理を示すフローチャートである。
【００３８】
本発明の複合機１００は、当該複合機１００の各種機能をユーザに提供可能なアクティブ状態から、消費電力を抑えたスリープ状態へのどちらか一方から他方へ切り替えることが可能であり、スリープ状態からアクティブ状態に復帰する際に、ハードディスク記憶手段５０１の動作準備が完了していない間であっても、ファクシミリ番号のようなユーザにより登録されたデータを使用できるように構成されている。
【００３９】
ここで、アクティブ状態とは、電力供給制御手段５４１が電力供給手段５４２に、複合機１００へ電力供給を行わせて、複合機１００の画像形成手段５３３（モータなどの駆動部）に電力が供給された状態のことであり、スリープ状態とは、上記電力供給制御手段５４１が電力供給手段５４２に、ＣＰＵなどの回路基板を駆動する程度の比較的少ない電力を供給させ、モータなどの各駆動部を駆動する電力を遮断させた状態のことである。
【００４０】
上記アクティブ状態の複合機１００に、ユーザ登録データ（文書やファクシミリ番号等のユーザが予め登録したデータをいう。）を使用する場合には、下記の操作を行う。ここで、ハードディスク記憶手段５０１には、上記ファクシミリ番号の他、ファイル格納領域であるボックスが割り当てられ、当該ボックス内のファイル（文書ファイルや画像ファイル）もユーザ登録データとして記憶される。ボックスは、いわゆるフォルダに相当するものであり、例えば、ユーザごとのユーザボックスや、複数人のユーザがアクセスを許可された共有のボックスが設けられる。
【００４１】
まず、表示手段５２２は、図７（Ａ）に示すような、コピー項目キー７００、ファクシミリ項目キー７１０、ボックス項目キー７５０からなる機能項目キーを操作部４００のタッチパネル４０１に表示する（図６：Ｓ１０１）。ここで、ユーザが、ユーザ登録データの例として、ファクシミリ番号を利用する場合、上記機能項目キーの内から、ファクシミリ項目キー７１０を押下すると、アクセス切替手段５２１がハードディスク記憶手段５０１に記憶されたファクシミリ番号にアクセスする旨を受け付け、ハードディスク記憶手段５０１にアクセスする。次に、アクセス切替手段５２１は、ユーザ登録データを選択可能すなわち、当該ユーザ登録データを使用して画像形成可能なように表示させる旨を表示手段５２２に指示する。これを受けて、表示手段５２２は、ユーザ登録データを選択可能に表示する。例えば、表示手段５２２は、図７（Ｂ）に示すような、予め登録されたファクシミリ番号一覧７２０をタッチパネル４０１に選択可能に表示すると共に、ファクシミリ番号の入力又はファクシミリ番号の選択を促す文言７１５を表示する。
【００４２】
次に、タッチパネル４０１に表示された上記ファクシミリ番号一覧７２０の内から、ユーザがＡ株式会社のファクシミリ番号７２１を選択し、ＯＫキー７２６を押下することで、入力受付手段５１３が、当該ファクシミリ番号を設定条件として受け付け、データ取得手段５１４に当該ファクシミリ番号をハードディスク記憶手段５０１から切替メモリ５１２へコピーして記憶する（以下コピーすると称す）旨指示する。これを受けて、データ取得手段５１４は、ハードディスク記憶手段５０１から切替メモリ５１２へ当該ファクシミリ番号をコピーする。
【００４３】
なお、上記設定条件として受け付けたユーザ登録データを再度使用するか否かをユーザに問い合わせ、ユーザから再度使用する旨の指示があったユーザ登録データのみをハードディスク記憶手段５０１から切替メモリ５１２へコピーする構成を採用しても構わない。
【００４４】
上記のように、表示手段５２２が表示した、ファクシミリ番号の入力を促す文言７１５に対して、ユーザが新たなファクシミリ番号を入力した場合は、当該新たなファクシミリ番号がユーザ登録データとしてハードディスク記憶手段５０１に記憶され、切替メモリ５１２にコピーされる。例えば、ユーザが、新たなファクシミリ番号を入力し、ＯＫキー７２６を押下すると、入力受付手段５１３が当該新たなファクシミリ番号をユーザ登録データとして受け付けて、ハードディスク記憶手段５０１に記憶させる。次に、入力受付手段５１３はデータ取得手段５１４に上記ユーザ登録データがハードディスク記憶手段５０１に記憶された旨を通知し、これを受けてデータ取得手段５１４が当該ユーザ登録データをハードディスク記憶手段５０１から切替メモリ５１２へコピーする構成を採用できる。
【００４５】
上記操作を繰り返すことで、入力受付手段５１３が受け付けたユーザ登録データ（例えばファクシミリ番号）が切替メモリ５１２に記憶されることになる（図６：Ｓ１０２ＹＥＳ→Ｓ１０３）。
【００４６】
また、上記ハードディスク記憶手段５０１のユーザ登録データを切替メモリ５１２にコピーする際、当該切替メモリ５１２の容量を超える場合には、切替メモリ５１２内に現在コピーされているユーザ登録データの内から最も始めにコピーしたユーザ登録データを上書きしてコピーする。上記の構成を採用することで、頻繁に使用したユーザ登録データが切替メモリ５１２にコピーされることになり、表示手段５２２が表示する際に、頻繁にアクセスしたユーザ登録データを表示させることができる。なお、切替メモリ５１２の記憶容量がユーザ登録データを全て記憶可能なら、表示手段５２２が表示した上記ユーザ登録データを全てハードディスク記憶手段５０１から切替メモリ５１２へコピーする構成を採用してもよい。
【００４７】
上記のように、本発明では、切替メモリ５１２はユーザ登録データを何度もコピーすることになるので、切替メモリ５１２としては書き込み回数に制限の無い揮発性メモリを使用することが望ましい。
【００４８】
更に、上記切替メモリ５１２として揮発性メモリを使用する場合、電力供給手段５４２又は、電池のような他の電源から常に電力の供給を受ける構成にする。揮発性メモリは電力供給が遮断されると記憶した内容が消滅してしまうので、上記のように、切替メモリ５１２を揮発性メモリで構成する場合、複合機１００がスリープ状態であっても、切替メモリ５１２が常に電力の供給を受ける構成を採用することで、記憶した内容が消滅してしまうことを防ぐことができる。
【００４９】
次に、ユーザが、複合機１００の操作を終了すると、操作部４００の電源ＯＮ/ＯＦＦキー４０９を押下する、若しくは、ユーザによるいずれの操作もされない所定時間が経過すると、電力供給制御手段５４１が、複合機１００のスリープ状態への遷移指示を受け付ける。そして、上記複合機１００のスリープ状態への遷移指示を受け付けた電力供給制御手段５４１は電力供給手段５４２にハードディスク記憶手段５０１や、モータ等の画像形成手段５３３への電力供給を遮断させて複合機１００をスリープ状態に遷移させる。スリープ状態では、ＣＰＵなどの回路基板を駆動する程度の比較的少ない電力は供給されるが、モータなどの各駆動部を駆動する電力は遮断される（図６：Ｓ１０４ＹＥＳ→Ｓ１０５）。
【００５０】
さて、上記スリープ状態の複合機１００に対してユーザが電源ＯＮ/ＯＦＦキー４０９を押下する、若しくは、いずれかのキーを押下するとスリープ状態が解除される構成であれば、当該いずれかのキーを押下すると、上記キーの押下を電力供給制御手段５４１が受け付ける。そして、上記キーの押下を受け付けた電力供給制御手段５４１は電力供給手段５４２にハードディスク記憶手段５０１や、モータ等の画像形成手段５３３への電力供給を開始させる（図６：Ｓ１０６ＹＥＳ）。
【００５１】
このとき、電力供給手段５４２が電力供給を開始してから、ハードディスク記憶手段５０１の動作準備が完了するまでの待ち時間が生じる。当該待ち時間は、ハードディスク記憶手段５０１に電力供給を開始してから、ハードディスク記憶手段５０１のディスクの回転が安定して，データを読み出せるまでに要する時間（スピンアップ時間）であり、この待ち時間の間はハードディスク記憶手段５０１にアクセスすることはできない。当該待ち時間は、ハードディスク記憶手段の性能、スペック、ハードディスク記憶手段５０１に対する読取部材の性能に応じて異なるものの、具体的には、約１５秒である。
【００５２】
ここで、上記ハードディスク記憶手段５０１の動作準備が完了したか否かは起動検知手段５０２が検知し、動作準備が完了した場合に、当該起動検知手段５０２がアクセス切替手段５２１にハードディスク記憶手段５０１の動作準備が完了した旨を通知する構成になっている。
【００５３】
なお、起動に必要なプログラムや、ユーザ登録データを必要としないジョブ（例えば通常のコピーサービス）のためのプログラムは、ＲＯＭ３０２に格納している。これにより、ハードディスク記憶手段５０１にアクセスすることができない上記待ち時間内にも、ユーザ登録データを使用しない通常のコピーサービスは提供できる。
【００５４】
上記のように、電力供給手段５４２が電力供給を開始すると、表示手段５２２は、コピー項目キー７００、ファクシミリ項目キー７１０、ボックス項目キー７５０からなる機能項目キーをタッチパネル４０１に表示する（図６：Ｓ１０７）。
【００５５】
ハードディスク記憶手段５０１の動作準備が完了していない待ち時間内に、ユーザが、ユーザ登録データ（ファクシミリ番号や、ボックス内のファイル）を使用する場合には、上記切替メモリ５１２に記憶されたユーザ登録データを表示する。例えば、ユーザが、上記機能項目キーの内からファクシミリ項目キー７１０を押下すると、表示手段５２２がファクシミリ項目キー７１０の押下を受け付ける（図６：Ｓ１０８ＹＥＳ）。
【００５６】
上記のように、表示手段５２２がファクシミリ項目キー７１０の押下を受け付けると、アクセス切替手段５２１が切替メモリ５１２にアクセスし、切替メモリ５１２に記憶されたユーザ登録データを表示手段５２２に表示させる。例えば表示手段５２２は図７（Ｃ）に示すような、切替メモリ５１２に記憶されたファクシミリ番号一覧７３０と共に、ファクシミリ番号の入力又はファクシミリ番号の選択を促す文言７１５を表示する（図６：Ｓ１０９）。
【００５７】
次に、タッチパネル４０１に表示された上記ファクシミリ番号一覧７３０の内から、ユーザがＡ株式会社のファクシミリ番号７３１を選択し、ＯＫキー７３６を押下することで、入力受付手段５１３が、当該ファクシミリ番号を設定条件として受け付け、画像形成手段５３３がファクシミリのジョブを行う。
【００５８】
上記のように、切替メモリ５１２はハードディスク記憶手段５０１に記憶された全てのユーザ登録データを記憶せず、表示手段５２２は、上記切替メモリ５１２に記憶されたユーザ登録データを表示するため、ユーザが使用したいユーザ登録データが表示されない場合がありうる。このため、表示手段５２２は全てのユーザ登録データが表示されない旨及び、全てのユーザ登録データを表示させるか否かの確認を求める旨の文言７３７をタッチパネル４０１に表示する。上記のように、ユーザが使用したいユーザ登録データが表示されていない場合、ユーザが上記文言７３７を選択し、ＯＫキー７３６を押下すると、切替要求受付手段５２５が、ハードディスク記憶手段５０１に記憶されたユーザ登録データを表示する指示を受け付ける（図６：Ｓ１１０ＹＥＳ）。
【００５９】
上記のように、切替要求受付手段５２５が、ハードディスク記憶手段５０１に記憶されたユーザ登録データを表示する指示を受け付けると、切替要求受付手段５２５は、アクセス切替手段５２１に、ハードディスク記憶手段５０１にアクセス可能であるか問い合わせる。アクセス切替手段５２１は、起動検知手段５０２からハードディスク記憶手段５０１の動作準備が完了した旨が通知されている場合、当該アクセス切替手段５２１は、上記切替メモリ５１２へのアクセスをハードディスク記憶手段５０１に切り替えて、ハードディスク記憶手段５０１のユーザ登録データを表示手段５２２に表示させる（図６：Ｓ１１１ＹＥＳ→Ｓ１１２）。
【００６０】
一方、上記のように、切替要求受付手段５２５が、アクセス切替手段５２１に、ハードディスク記憶手段５０１にアクセス可能であるか問い合わせた場合に、アクセス切替手段５２１が上記起動検知手段５０２からハードディスク記憶手段５０１の動作準備が完了した旨の通知を受けていない場合、アクセス切替手段５２１は、ハードディスク記憶手段５０１の動作準備が完了するまでの所定時間待機する（図６：Ｓ１１１ＮＯ→Ｓ１１３）。この待ち時間中は、アクセス切替手段５２１は、表示手段５２２に所定時間待機する旨をタッチパネル４０１に表示させてもよい。
【００６１】
上記待ち時間が経過し、アクセス切替手段５２１が起動検知手段５０２からハードディスク記憶手段５０１の動作準備が完了した旨の通知を受けると、当該アクセス切替手段５２１は、上記切替メモリ５１２へのアクセスをハードディスク記憶手段５０１に切り替えて、ハードディスク記憶手段５０１のユーザ登録データを表示手段５２２に表示させる（図６：Ｓ１１４ＹＥＳ→Ｓ１１２）。
【００６２】
一方、所定時間が経過してもハードディスク記憶手段５０１の動作準備が完了しない場合、起動検知手段５０２は当該旨をアクセス切替手段５２１に通知し、これを受けてアクセス切替手段５２１は、表示手段５２２に、ハードディスク記憶手段５０１が起動しない旨をタッチパネル４０１に表示させて終了することになる（図６：Ｓ１１４ＮＯ→Ｓ１１５→エンド）。
【００６３】
（実施の形態２）
実施の形態２の画像形成装置を図１０のフローチャートで説明する。ハードディスク記憶手段５０１の動作準備が完了すると、ハードディスク記憶手段５０１のユーザ登録データを表示させる旨のユーザからの指示を待つことなく、当該ハードディスク記憶手段５０１のユーザ登録データを表示させる点が実施の形態１と異なる。
【００６４】
図１０におけるステップＳ２０１からステップＳ２０８までは、実施の形態１のステップＳ１０１からステップＳ１０８までと同じ手順なので、説明を省略する。
【００６５】
スリープ状態からの復帰の指示により、電力供給手段５４２が電力供給を開始すると、表示手段５２２は、コピー項目キー７００、ファクシミリ項目キー７１０、ボックス項目キー７５０からなる機能項目キーをタッチパネル４０１に表示する。ハードディスク記憶手段５０１の動作準備が完了していない待ち時間内に、ユーザが、ユーザ登録データを使用する場合、ユーザが、ファクシミリ項目キー７１０を押下すると、表示手段５２２がファクシミリ項目キー７１０の内容を表示する旨を受け付ける（図１０：Ｓ２０８ＹＥＳ）。
【００６６】
上記のように、表示手段５２２がファクシミリ項目キー７１０の内容を表示する旨を受け付けると、表示手段５２２は、アクセス切替手段５２１に、ハードディスク記憶手段５０１にアクセス可能であるか問い合わせる。アクセス切替手段５２１は上記起動検知手段５０２からハードディスク記憶手段５０１の動作準備が完了した旨の通知がされていない場合、切替メモリ５１２にアクセスし、切替メモリ５１２に記憶されたユーザ登録データを表示手段５２２に表示させる（図１０：Ｓ２０９ＮＯ→Ｓ２１０）。
【００６７】
上記のように、切替メモリ５１２に記憶されたユーザ登録データを表示手段５２２に表示させる場合、ユーザが使用したいユーザ登録データが切替メモリ５１２にコピーされていなければ、ハードディスク記憶手段５０１の動作準備が完了するまでの待ち時間には、当該ユーザ登録データはタッチパネル４０１に表示されないことになる。この場合には、タッチパネル４０１に全てのユーザ登録データが表示されない旨及び、所定時間経過すれば、全てのユーザ登録データが表示される旨を表示手段５２２が、ユーザに通知する構成にすると、使用したいユーザ登録データが表示されない場合に対応できる。
【００６８】
次に、上記待ち時間が終了し、起動検知手段５０２からアクセス切替手段５２１に、ハードディスク記憶手段５０１の動作準備が完了した旨が通知されると、アクセス切替手段５２１は、上記切替メモリ５１２へのアクセスをハードディスク記憶手段５０１に切り替えて、ハードディスク記憶手段５０１のユーザ登録データを表示手段５２２に表示させる（図１０：Ｓ２１１ＹＥＳ→Ｓ２１２→エンド）。
【００６９】
一方、ハードディスク記憶手段５０１の動作準備が完了した後に、ユーザが、ユーザ登録データを使用する場合には、表示手段５２２は、ハードディスク記憶手段５０１のユーザ登録データを表示する。すなわち、ハードディスク記憶手段５０１の動作準備が完了すると、起動検知手段５０２がアクセス切替手段５２１にハードディスク記憶手段５０１の動作準備が完了した旨を通知する。そして、上記のように、表示手段５２２がファクシミリ項目キー７１０の内容を表示する旨を受け付けると、アクセス切替手段５２１は、ハードディスク記憶手段５０１に記憶されたファクシミリ番号を表示手段５２２に表示させる（図１０：Ｓ２０９ＹＥＳ→Ｓ２１２）。その後の手順は実施の形態１と同じなので説明を省略する。
【００７０】
（実施の形態３）
実施の形態３の画像形成装置を図８及び図９で説明する。図８は、実施の形態３の複合機１００の機能ブロック図、図９は、ハードディスク記憶手段５０１に記憶される後述のユーザ登録データテーブルを示す図である。
【００７１】
複合機１００の動作状態がアクティブ状態からスリープ状態に遷移する際に、上記切替メモリ５１２がハードディスク記憶手段５０１からユーザ登録データをコピーする点が上記実施の形態１及び２と異なる。
【００７２】
まず、図９に示すように、ハードディスク記憶手段５０１はユーザ登録データと当該ユーザ登録データが使用された回数を示す履歴情報とを関連付けたユーザ登録データテーブル９０１を記憶する。例えば、ユーザ登録データの内、「Ａ株式会社１２３４５６７８」はＡ株式会社のファクシミリ番号９０２を示し、「ファイルＢ」はボックス内の「ファイルＢ」９０４を示している。
【００７３】
実施の形態１のステップＳ１０２において、ユーザがユーザ登録データを使用したことを入力受付手段５１３が確認すると、当該入力受付手段５１３が、上記使用されたユーザ登録データに対応するユーザ登録データテーブル９０１内のユーザ登録データの履歴情報の回数を１増やす構成とする。
【００７４】
次に、所定のジョブが終了し、ユーザが電源ＯＮ/ＯＦＦキー４０９を押下すると図８に示す検知手段５４０がスリープ状態への遷移を受け付け、データ取得手段５１４にハードディスク記憶手段５０１から切替メモリ５１２へユーザ登録データをコピーして記憶する旨を指示する。上記コピーする際に、データ取得手段５１４は、ユーザ登録データテーブル９０１の履歴情報を参照して、所定回数以上（例えば２以上）の履歴情報に対応するユーザ登録データをハードディスク記憶手段５０１から切替メモリ５１２にコピーする。すなわち、データ取得手段５１４は、例えば、履歴情報が「５」であるＡ株式会社のファクシミリ番号９０２をコピーし、履歴情報が「１」である「ファイルＢ」９０４はコピーしない。上記のようにコピーすることで、頻繁に使用されるユーザ登録データを切替メモリ５１２にコピーすることができる。
【００７５】
上記のように、検知手段５４０がスリープ状態への遷移を受け付けると、検知手段５４０は、電力供給制御手段５４１に複合機１００をスリープ状態に遷移させる旨を指示し、これを受けて、電力供給制御手段５４１は、複合機１００をスリープ状態に遷移させる。
【００７６】
次に、スリープ状態の複合機１００にユーザが電源ＯＮ/ＯＦＦキー４０９を押下すると、検知手段５４０がアクティブ状態へ遷移の指示を受け付け、電力供給制御手段５４１に複合機１００をアクティブ状態に遷移させる旨を指示する。これを受けて電力供給制御手段５４１は複合機１００をアクティブ状態に遷移させ、実施の形態１及び２と同様に、表示手段５２２がタッチパネル４０１に切替メモリが記憶したユーザ登録データを選択可能に表示することになる。
【００７７】
（その他）
ハードディスク記憶手段５０１へのアクセスには、ディスク上のアクセスする位置を探し、ヘッドをその位置まで移動する時間（シーク時間）が必要であるので、ハードディスク記憶手段の応答時間は、一般的に半導体メモリの応答時間より長い。アクセス切替手段５２１が、切替メモリ５１２からハードディスク記憶手段５０１へのアクセスに切り替えた場合、ユーザ登録データの表示のための応答時間が長くなってしまう。そこで、アクセス切替手段５２１は、切替メモリ５１２の応答時間をハードディスク記憶手段５０１の応答時間まで遅延させる遅延手段５２３を介して切替メモリ５１２にアクセスする。上記のように、遅延手段５２３が、切替メモリ５１２の応答時間をハードディスク記憶手段５０１の応答時間まで遅延することで、ユーザに応答時間が長くなったと感じさせることがない。上記遅延手段５２３による遅延の程度は、使用するハードディスク記憶手段５０１の応答時間まで遅延させることができる。
【００７８】
なお、第一の実施形態乃至第三の実施形態におけるユーザ登録データに、ユーザが設定条件の入力を実行する際にユーザが押下する操作キーの操作手順をユーザ毎に含めるよう構成しても構わない。ユーザが複合機１００を利用する場合、ユーザが操作部４００の操作キーを押下する操作手順は、通常、ユーザ毎に所定の頻度で決定されることが多いため、例えば、１ジョブを実行する際に、ユーザ毎に前記操作手順を取得する操作手順取得手段を設けても構わない。なお、ユーザ毎の操作手順をユーザ登録データに含める場合、ユーザ認証手段により、予めユーザ情報（ユーザＩＤ）を取得するよう構成することは言うまでもない。当該構成では、例えば、アクセス切替手段５２１が、切替メモリ５１２から、ユーザ毎の操作手順を含むユーザ登録データを表示手段５２２に表示させることになるが、操作手順の場合、当該操作手順に関連する画面（初期画面、設定画面等）を表示させることになる。当該構成とすると、更に、ユーザに対する処理手順を記憶することで、ユーザは、頻繁に使用する処理手順を繰り返す必要がなくなる。
【００７９】
また、第一の実施形態乃至第三の実施形態におけるユーザ登録データに、表示手段５２２に表示させる優先順位を示す優先度をユーザ毎に含めるよう構成しても構わない。切替メモリ５１２の容量は、ハードディスク記憶手段５０１の容量と比較すると通常小さいため、アクセス切替手段５２１が、上述した優先度に応じて所定のユーザ登録データ（ファクシミリ番号等）を表示手段５２２に表示させるように構成すると、切替メモリ５１２の容量が比較的少なくても、ユーザに対する操作性を損なうことなく、所定のユーザ登録データを表示させることが可能となる。
【００８０】
また、第三の実施形態におけるデータ取得手段５１４が、スリープ状態への遷移が開始される際に、ユーザ登録データを切替メモリ５１２に記憶する場合、データ取得手段５１４が、表示手段５２２に備えられたバックライトを予め消灯させるよう構成しても構わない。当該構成とすると、操作部４００のタッチパネル４０１の画面は黒色となった状態で、データ取得手段５１４はユーザ登録データをコピーすることとなるが、ユーザは所定の処理が終了したことを視覚的に認識することができるため、データ取得手段５１４の処理に関して、ユーザへの違和感を解消することが可能となる。尚、データ取得手段５１４がユーザ登録データを取得する場合、複合機１００の動作状態がアクティブ状態からスリープ状態に遷移するまでに要するスリープ遷移時間は、当該ユーザ登録データの量に応じて異なるため、データ取得手段と、電力供給制御手段と、電力供給手段とが協働して、当該スリープ遷移時間を調整するよう構成しても構わない。
【産業上の利用可能性】
【００８１】
本発明を使用すると、ハードディスク記憶手段に電力供給が開始されてから、当該ハードディスク記憶手段の動作準備が完了するまでの待ち時間内に、ファクシミリ番号や文書等のユーザが登録したユーザ登録データを使用することができる。したがって、スリープ状態から復帰後直ぐにユーザ登録データを使用することができるので、その産業上の利用可能性は大きい。
【符号の説明】
【００８２】
１００  複合機
４００  操作部
５０１  ハードディスク記憶手段
５０２  起動検知手段
５１２  切替メモリ
５１３  入力受付手段
５１４  データ取得手段
５２１  アクセス切替手段
５２２  表示手段
５２３  遅延手段
５４０  検知手段
５４１  電力供給制御手段
５４２  電力供給手段
９０１  ユーザ登録データテーブル
【図１】
2010204428.tif 000003
【図２】
2010204428.tif 000004
【図３】
2010204428.tif 000005
【図４】
2010204428.tif 000006
【図５】
2010204428.tif 000007
【図６】
2010204428.tif 000008
【図７】
2010204428.tif 000009
【図８】
2010204428.tif 000010
【図９】
2010204428.tif 000011
【図１０】
2010204428.tif 000012